(57)【要約】      （修正有）【課題】一対の遊技具を両手に持ち、回転する円筒体上を移動する遊動体を受け渡すことによって、バランスやタイミングを図る遊技具を提供する。【解決手段】本遊技具１は、側面に複数の突起３１を有して軸回転する円筒状の回転体３と、回転体側面に係合保持されると共に突起と係合して回転体の側面上を軸方向へ移動する円筒スパイラル状の線材から成る遊動体４と、回転体を駆動手段２２により軸回転可能に支持すると共に、遊動体を回転体に取り入れて係合移動させた後に放出させる移動路２３を成す手持ち可能な保持体２と、から構成している。移動路は遊動体の軸延長方向を開放し、かつ軸直交方向を拘束して成る。かかる構成により、遊動体は回転体の突起に係合して従動回転すると共に移動路に案内されて直進移動し、移動路終端から放出されて他の本遊技具により受け取り可能となる。【選択図】図１
0003134421.tif 000002
【実用新案登録請求の範囲】
【請求項１】
側面に複数の突起（３１）を有して軸回転する円筒状の回転体（３）と、
該回転体（３）の側面に係合保持されると共に、回転する前記突起（３１）と係合して回転体（３）の側面上を軸方向へ移動する円筒スパイラル状の線材から成る遊動体（４）と、
上記回転体（３）を軸回転可能に支持すると共に、前記遊動体（４）を回転体（３）に取り入れて係合移動させた後に放出させるまでの移動路（２３）を構成して成る手持ち可能な保持体（２）と、
から成ることを特徴とした軸転円筒体面上の遊動に興ずる遊技具。
【請求項２】
保持体（２）の移動路（２３）は、回転体（３）に係合保持させた遊動体（４）の軸延長方向を開放し、かつその軸直交方向を拘束して成ることを特徴とする請求項１記載の軸転円筒体面上の遊動に興ずる遊技具。
【請求項３】
保持体（２）の移動路（２３）の端部側に他の保持体（２）との係合手段（２４、２５）を配置したことを特徴とする請求項１又は２記載の軸転円筒体面上の遊動に興ずる遊技具。
【請求項４】
回転体（３）を、回転体（３）の軸方向が移動路（２３）の延長方向と所定の回転角を有するように保持体（２）に支持させたことを特徴とする請求項１、２又は３記載の軸転円筒体面上の遊動に興ずる遊技具。
【請求項５】
回転体（３）を、円盤状の永久磁石（３１ａ）と該永久磁石（３１ａ）より小径の円盤状の非磁石（３１ｂ）とを交互にかつ軸線を略一致させて接合させて成ることを特徴とする請求項１、２又は４記載の軸転円筒体面上の遊動に興ずる遊技具。
【請求項６】
保持体（２）の所定位置に移動路（２３）の延長方向と略直交する方向に延びる取手（２１ａ）を配設したことを特徴とする請求項１、２、３又は４記載の遊技具。
【考案の詳細な説明】
【技術分野】
【０００１】
本願考案は、円筒スパイラル状の遊動体を軸回転する円筒体の側面上を移動させて楽しむ軸転円筒体面上の遊動に興ずる遊技具に関する。
【背景技術】
【０００２】
従来から、手持ち可能であると共に腕部や指先の操作によって、バランスやタイミングを図りつつ遊び興ずる又はリハビリテーションを行う種々の遊技具が存在していた。
【０００３】
かかる遊技具としては、手持ち可能とする持ち手を配設したリングの内側面にレールを敷設し、このレール上に配置したボールを周回移動させて遊び興ずるボール回転遊技具があった（例えば、特許文献１参照。）。
【０００４】
また、片方の手に把持すると共にボールを狭持可能ないわゆる"トング"の形状を成し、所定位置にボール半身を収納するボール受けと、円盤状のボール弾きを配設し、ボールを挟んで保持したり、ボール受けに納めたり、弾いたりして遊び興ずる機能回復兼用遊技具があった（例えば、特許文献２参照。）。
【特許文献１】実用新案登録第３０８４５４５（第２頁、第１図）
【特許文献２】実開平５−３７２６４（第２頁、第１図）
【考案の開示】
【考案が解決しようとする課題】
【０００５】
上記の遊技具は、一方の手によって把持されると共に腕や指先の操作によって、ボールを落下させないように周回させたり、挟んだり、弾いたりして遊び興ずるものであった。したがって、これら遊技具は単独で興ずるものであって、両手に同じ遊技具を持つと共に、それらを連携させてバランスやタイミングを図りながら楽しむものではなかった。
【０００６】
そこで、本願考案は、かかる観点に鑑みて為されたものであり、手持ち可能な遊技具を両手に持ち、これらを一対として扱い、回転する円筒体上を移動する単一の遊動体を、互いに受け渡すことによって、バランスやタイミングを図りながら遊び興ずることを目的とし、さらにはリハビリテーション等の用具としても活用できる軸転円筒体面上の遊動に興ずる遊技具を提供するものである。
【課題を解決するための手段】
【０００７】
上記課題を解決するため、本願考案にかかる軸転円筒体面上の遊動に興ずる遊技具（以下、「本遊技具」と称する。）は、以下のように構成している。
すなわち、本遊技具（１）は、主に側面に複数の突起（３１）を有して軸回転する円筒状の回転体（３）と、該回転体（３）の側面に係合保持されると共に、回転する前記突起（３１）と係合して回転体（３）の側面上を軸方向へ移動する円筒スパイラル状の線材から成る遊動体（４）と、上記回転体（３）を駆動手段（２２）をもって軸回転可能に支持すると共に、前記遊動体（４）を回転体（３）に取り入れて係合移動させた後に放出させるまでの移動路（２３）を構成して成る手持ち可能な保持体（２）と、から構成している。
【０００８】
上記の保持体（２）の移動路（２３）は、回転体（３）に係合保持させた遊動体（４）の軸延長方向を開放し、かつその軸直交方向を拘束して形成している。より具体的には、遊動体（４）の延長方向となる保持体（２）の所定部分を切り欠き、移動路（２３）の横断方向には、移動路（２３）と平行するように棒状のガイド体（２３ｂ）を配置して形成するのが好適である。かかる移動路（２３）の形成により、線材から円筒スパイラル構造を成す遊動体（４）は、回転体（３）の突起（３１）に係合して従動回転すると共に前記移動路（２３）に案内されて直進移動し、移動路（２３）の終端から放出されることとなる。また、遊動体（４）は、内部に回転時に模様が変化する図柄の紐や捩れ棒等の嗜好的装飾（４１）を配置して、回転時の色彩変化を視覚的に楽しむ構成とすることがより好適である。
【０００９】
また、保持体（２）の移動路（２３）の端部側には、他の保持体（２）との係合手段（２４、２５）を配置している。かかる係合手段（２４、２５）により２つの保持体（２）を所定位置において位置合わせすることが可能となり、例えば、両手に把持した２つの本遊技具（１）を適宜に位置合わせし、直進移動する遊動体（４）を一方の本遊技具（１）から他方の本遊技具（１）へと受け渡しができることとなる。
【００１０】
回転体（３）は、その軸方向が移動路（２３）の延長方向と所定の回転角を有するように保持体（２）に支持されている。この回転角は、遊動体（４）が従動回転により直進移動する場合に、移動方向が移動路（２３）の延長方向と略一致するように適宜に調整する必要がある。
【００１１】
また、回転体（３）は、円盤状の永久磁石（３１ａ）と該磁石（３１ａ）より小径の円盤状の非磁石（３１ｂ）を交互にかつ軸線を略一致させて接合することにより形成している。かかる構成により、回転体（３）の側面にはリング状に周回する突起（３１）が軸方向に所定間隔で形成されることとなる。なお、非磁石（３１ｂ）は合成樹脂材、木材等から適宜に選択すれば良い。
【００１２】
加えて、保持体（２）の所定位置、具体的に保持体（２）の底部側に移動路（２３）の延長方向と略直交する方向に延びる取手（２１ａ）を配設している。この取手（２１ａ）により保持体（２）を傾けるように把持することもできる。なお、回転体（３）は永久磁石（３１ａ）を有する構成により磁着性を有するので、遊動体（４）が磁性材であれば、落下することはない。
【００１３】
なお、実用新案登録請求の範囲の書類と上記の課題を解決するための手段の欄で記載した括弧付き符号は、考案の構成の理解を容易にするため参考として図面符号を付記したもので、この図面上の形態に限定するものでないことはもちろんである。
【考案の効果】
【００１４】
本遊技具は上記の構成であるため、以下の効果を奏する。
片方の手で把持可能な本遊技具は、回転体側面に永久磁石から成る複数のリング状の突起を形成し、これにスパイラル構造を有する遊動体を磁着かつ係合させて従動回転させているため、遊動体を保持体の移動路によって案内させつつ直進移動させることができる。保持体の移動路の延長方向は開放してあるため、遊動体は保持体から放出されることとなるが、この遊動体をもう片方の手で把持する他の遊技具へ受け渡すことが可能となる。
【００１５】
かかる遊動体の受け渡しには、両手に把持した遊技具の保持や接合等にバランスやタイミングを図る必要があり、単独で遊び興ずる従来の遊技具には無い独自の要素があって趣向性が高いものである。また、遊動体の受け渡しを繰り返すことは、両腕部の適当な運動となり、リハビリテーション用具としての活用も可能である。
【００１６】
また、本遊技具は、保持体に遊動体の受け渡し時における位置合わせ用の係合手段を設けているため、遊動体の受け渡しのための位置合わせ行為は簡易であり、老人や肢体の不自由な人が軽い運動や機能回復運動を行うことにも適し、興趣をもって無理なく行えるこものである。
【００１７】
さらに、遊動体の内部に嗜好的装飾を配置した場合は、その回転や直進移動に伴って色変化を視覚的に楽しむことができ、上記の受け渡し動作と組み合わせれば、ダンス等の道具としての活用もでき、従来遊技具に無い顕著な利便性を有するものである。
【考案を実施するための最良の形態】
【００１８】
以下、本遊技具の具体的実施例について、図面に基づき詳細に説明する。
図１は本遊技具の外観を示す斜視図であり、図２は本遊技具の保持体と回転体の位置関係を示す平面図であり、図３は本遊技具の作用状態を示す一部切り欠き正面図であり、図４は本遊技具の使用状態を示す正面図（Ａ）及び斜視図（Ｂ）である。
【００１９】
本遊技具１は、保持体２に回転体３を回転自在に支持し、この回転体３の側面上に円筒スパイラル構造を有する磁性材から成る遊動体４を係合保持させると共に、遊動体４を回転体３の軸回転に従動回転させる構成である。
【００２０】
まず、保持体２は、合成樹脂材、木材、アルミ材等の軽量硬質材から上面を開口させた略矩形箱状に形成している。保持体２は底部２１の外側面に保持体２を手持ちを可能とする棒状の取手２１ａを配設すると共に、短手側の外側面の一方に他の保持体２と位置合わせを可能とする係合凸部２４を形成し、反対面に係合凹部２５を形成している。
【００２１】
また、保持体２は開口内側の長手方向に回転体３を配設して支持している。保持体２の内部の中央付近には、モータとギアから成る駆動手段２２を両側から狭持するように設置しており、この駆動手段２２をもって回転体中央の縮径部３２を回転自在に軸支持している。
【００２２】
上記構成の保持体２は、開口側に配置した回転体３の両端の上方側、別言すれば、回転体３の上側面に係合保持させた遊動体４の延長方向側であって、保持体２の短手側の両側を切り欠いた開放部２３ａを形成している。かかる開放部２３ａは遊動体４を保持体２から放出できる外形に設定してある。一方、保持体２の長手方向の両側は棒状金属のガイド体２３ｂを長手方向に渡って配置し、遊動体４の軸直交方向の動きを拘束している。かかる開放部２３ａとガイド体２３ｂの配設により、保持体２は開口側の長手方向に遊動体４の移動路２３を形成している。なお、遊動体４の軸直交方向の拘束は、前記のガイド体２３ｂに代えて、遊動体４の上方に透明な半円筒体や複数の半リングを配設して形成しても良い。
【００２３】
回転体３は、円柱の中央部付近のみを縮径した縮径部３２を形成し、縮径部３２の両側に配置する円柱体の側面を周回状に、別言すればリング状に複数の突起３１を所定間隔で形成した外観を呈している。この回転体３の突起３１を形成した円柱体は、円盤状の永久磁石３１ａとこの磁石より若干小径の非磁石３１ｂ、例えば、合成樹脂や木材を交互に接合して形成している。かかる構成の回転体３は突起３１が永久磁石３１ａであるため、磁性体から成る遊動体４を磁着することとなる。なお、本実施例の突起３１はリング状に連続しているが、この形態に限定するものではなく、切り欠きを入れた不連続の形態とすることも可能である。
【００２４】
また、回転体３は上述したように保持体２に配設した駆動手段２２によって、縮径部３２を回転自在（矢印ｒ）に軸支持されているが、回転体３の保持体２への配置は、図２に示すように、回転体３の軸方向が移動路２３の延長方向と所定の回転角θを有するように配置されている。この配置は駆動手段２２を保持体３に上記回転角θを有するように設置することで実現している。かかる回転体３の保持体２への回転角θをもっての配置は、保持体２に係合して従動回転する遊動体４を移動路２３に沿って直進移動（矢印ｍ）させることとなる。なお、回転角θは遊動体４の直進移動方向が移動路２３の延長方向と略一致するように適宜に調整する必要がある。
【００２５】
遊動体４は、磁性線材から回転体３より若干大きめの外径寸法に円筒状のスパイラル構造を有して形成したものである。また、遊動体４はその内部に回転により視覚的変化を楽しむことができる多色を施した螺旋状の装飾体４１を配設している。
【００２６】
また、遊動体４のスパイラルピッチは、回転体３の従動回転による直進移動方向が移動路２３に沿った方向になるように、回転体３の配置角度と併せて適宜に調整する必要がある。
【００２７】
上述したように構成した本遊技具１は、以下のようにして使用に供する。
まず、保持体２の取手２１ａを片方の手で把持すると共に、遊動体４を回転体３の側面上にその軸方向を略一致させるように磁着させる。その後、駆動手段２２を起動して回転体３を軸回転（矢印ｒ）させる。この回転によって遊動体４が従動回転すると、回転体３の突起３１と遊動体４が係合し、回転体３の配置角度及び遊動体４のスパイラル構造との関係により、遊動体４は回転体の側面上を保持体２の移動路２３に沿って直進移動（矢印ｍ）することとなる。
【００２８】
直進移動する遊動体４は保持体２から放出されることなるが、図４（Ｂ）に示すように、直進移動する遊動体４を別の手に把持した同じ構成の他の本遊技具１へ受け渡すことができる。この受け渡し時には、図４（Ａ）に示すように、双方の本遊技具側面の対向側に係合凸部２４と係合凹部２５が相対することとなるため、その位置合わせが容易である。かかる遊動体４の受け渡しは、バランスやタイミングを図る必要があるために趣向性が高く、本遊技具１を把持する両腕部の運動にもなる。このため、本遊技具１は腕部の効率的な鍛錬やリハビリテーション用具としても活用できる。
【００２９】
また、この遊動体４の回転及び直進移動時には、内部に配置した装飾体４１の色変化等の趣向も加わるため嗜好性がさらに向上することとなり、遊動体４の受け渡し動作及び本遊技具１の位置合わせ動作を組み合わせれば、ダンス等の道具としても活用できるものである。
【図面の簡単な説明】
【００３０】
【図１】本遊技具の外観を示す斜視図である。
【図２】本遊技具の保持体と回転体の位置関係を示す平面図である。
【図３】本遊技具の作用状態を示す一部切り欠き正面図である。
【図４】本遊技具の使用状態を示す正面図（Ａ）及び斜視図（Ｂ）である。
【符号の説明】
【００３１】
１  本遊技具
２  保持体
２１  底部
２１ａ  取手
２２  駆動手段
２３  移動路
２３ａ  開放部
２３ｂ  ガイド体
２４  係合凸部
２５  係合凹部
３  回転体
３１  突起
３１ａ  永久磁石
３１ｂ  非磁石
３２  縮径部
４  遊動体
４１  装飾体
θ  回転角
【図１】
0003134421.tif 000003
【図２】
0003134421.tif 000004
【図３】
0003134421.tif 000005
【図４】
0003134421.tif 000006